(57)【要約】  車両情報センタ２００に設けられた車両情報管理サーバ２１２は、車両１００に設けられた情報送受信ＥＣＵ１１０ａに対して、必要とする車両情報を取得するためのコマンド情報とともに、車両情報を外部通信回線網４００を介して送信するタイミングを表す待機時間情報を送信する。車両１００の情報送受信ＥＣＵ１１０ａは、送信されたコマンド情報及び待機時間情報を受信する。そして、ＥＣＵ１１０ａは、待機時間情報によって表される待機時間あるいは指定時刻が経過するまで待機し、その後、コマンド情報によって表される取得コマンドに従って車両情報を取得する。これにより、ＥＣＵ１１０ａは、このように指定されたタイミングにより取得した車両情報をサーバ２１２に送信する。
2012160667.tif 000002
【特許請求の範囲】
【請求項１】
車両と通信するための通信手段と、この通信手段を介して前記車両から供給される各種の情報を取得する情報取得手段とを備えた車両情報取得装置であって、
前記車両に対して、前記各種の情報を供給するタイミングを指定するタイミング指定手段を備えたことを特徴とする車両情報取得装置。
【請求項２】
請求項１に記載した車両情報取得装置において、
前記タイミング指定手段は、
前記指定するタイミングにより供給すべき情報を指定することを特徴とする車両情報取得装置。
【請求項３】
請求項１又は請求項２に記載した車両情報取得装置において、
前記タイミング指定手段は、
前記情報取得手段によって前記車両から供給された各種の情報を前記通信手段を介して取得したとき、次回、前記各種の情報を供給するタイミングを指定することを特徴とする車両情報取得装置。
【請求項４】
請求項１に記載した車両情報取得装置において、
前記タイミング指定手段によって指令されたタイミングに従って前記車両から供給されて前記情報取得手段によって取得された前記各種の情報に基づいて、前記車両のユーザに前記車両の状態に関する通知を報知する報知手段を備えたことを特徴とする車両情報取得装置。
【請求項５】
車両における各種の情報を収集する情報収集手段と、外部と通信するための通信手段とを備えた車両情報供給装置であって、
前記外部によって指定されて、前記情報収集手段が収集した前記各種の情報を供給するタイミングを取得するタイミング取得手段と、
前記タイミング取得手段によって取得された前記タイミングに従って、前記情報収集手段が収集した前記各種の情報を前記通信手段を介して前記外部に供給する情報供給制御手段とを備えたことを特徴とする車両情報供給装置。
【請求項６】
請求項５に記載した車両情報供給装置において、
前記タイミング取得手段は、
前記外部により、前記指定されたタイミングで前記情報収集手段が収集すべき前記車両における情報を指定する収集指令情報を取得することを特徴とする車両情報取得装置。
【請求項７】
請求項５又は請求項６に記載した車両情報供給装置において、
前記タイミング取得手段は、
前記情報供給制御手段が前記情報収集手段によって収集された前記各種の情報を前記通信手段を介して前記外部に供給したとき、次回、前記外部に前記収集された情報を供給するタイミングを取得することを特徴とする車両情報供給装置。
【請求項８】
車両に搭載されてこの車両における各種の情報を収集して供給する車両情報供給装置と、この車両情報供給装置と所定の通信回線網を介して通信可能に接続されて前記車両情報供給装置から供給される前記車両における各種の情報を取得する車両情報取得装置とを備えた車両の情報通信システムにおいて、
前記車両情報取得手段が、
前記車両情報供給装置に対して、前記車両における各種の情報を、前記所定の通信回線網を介した送信により供給するタイミングを指定するタイミング指定手段を備えており、
前記車両状況供給装置が、
前記車両情報取得装置の前記タイミング指定手段によって指定された前記タイミングを取得するタイミング取得手段と、
前記タイミング取得手段によって取得された前記タイミングに従って、前記車両における各種の情報を収集し前記所定の通信回線網を介して前記車両情報取得装置に供給する情報供給制御手段とを備えたことを特徴とする車両の情報通信システム。
【請求項９】
車両と通信するための通信手段と、この通信手段を介して前記車両から供給される各種の情報を取得する情報取得手段とを備えた車両情報取得装置であって、
前記情報取得手段によって取得された前記各種の情報は、少なくとも、前記車両を遠隔操作により動作させるときの条件を決定する情報を含むものであり、前記条件を決定する情報を用いて前記車両を遠隔操作により動作させるか否かを判定する動作可否判定手段を備えたことを特徴とする車両情報取得装置。
【請求項１０】
請求項９に記載した車両情報取得装置において、
前記動作可否判定手段による前記車両を遠隔操作により動作させるとの判定に従い、前記車両を遠隔操作により動作させるための動作指令情報を前記通信手段を介して前記車両に供給する動作指令情報供給手段を備えており、
前記情報取得手段は、
前記動作指令情報供給手段によって供給された動作指令情報に従って前記車両が遠隔操作により動作したときに前記車両から供給される各種の情報を前記通信手段を介して取得することを特徴とする車両情報取得装置。
【請求項１１】
請求項１０に記載した車両情報取得装置において、
前記情報取得手段によって取得された前記車両が遠隔操作により動作したときに前記車両から供給される各種の情報に基づいて、前記車両のユーザに前記遠隔操作により動作した前記車両の状態に関する通知を報知する報知手段を備えたことを特徴とする車両情報取得装置。
【請求項１２】
請求項１０に記載した車両情報取得装置において、
前記動作指令情報供給手段は、
前記車両のユーザによって指示される前記車両の遠隔操作に応じて前記動作指令情報を前記通信手段を介して前記車両に供給することを特徴とする車両情報取得装置。
【請求項１３】
車両における各種の情報を収集する情報収集手段と、外部と通信するための通信手段とを備えた車両情報供給装置であって、
前記情報収集手段は、
前記車両の状態が予め設定された所定の状態にあるときに、収集した前記車両における各種の情報を前記通信手段を介して前記外部に供給することを特徴とする車両情報供給装置。
【請求項１４】
前記所定の状態は、少なくとも、前記車両が停車した状態である請求項１３に記載した車両情報供給装置。
【請求項１５】
請求項１３又は請求項１４に記載した車両情報供給装置において、
前記情報収集手段は、
前記外部から供給されて前記車両を遠隔操作により動作させるための動作指令情報に従って前記車両が遠隔操作により動作したときの各種の情報を収集し、この収集した各種の情報を前記通信手段を介して前記外部に供給することを特徴とする車両情報供給装置。
【請求項１６】
車両に搭載されてこの車両における各種の情報を収集して供給する車両情報供給装置と、この車両情報供給装置と所定の通信回線網を介して通信可能に接続されて前記車両情報供給装置から供給される前記車両における各種の情報を取得する車両情報取得装置とを備えた車両の情報通信システムにおいて、
前記車両情報供給装置から供給された前記各種の情報は、少なくとも、前記車両を遠隔操作により動作させるときの条件を決定する情報を含むものであり、
前記車両情報取得手段が、
前記条件を決定する情報を用いて前記車両を遠隔操作により動作させるか否かを判定する動作可否判定手段と、
前記動作可否判定手段による前記車両を遠隔操作により動作させるとの判定に従い、前記車両を遠隔操作により動作させるための動作指令情報を前記所定の通信回線網を介して前記車両情報供給手段に供給する動作指令情報供給手段とを備え、
前記車両情報供給手段が、
前記車両情報取得装置から供給された前記動作指令情報に従って前記車両が遠隔操作により動作したときの各種の情報を収集し、この収集した各種の情報を前記所定の通信回線網を介して前記車両情報取得装置に供給する情報収集手段を備えたことを特徴とする車両の情報通信システム。
【発明の詳細な説明】
【技術分野】
【０００１】
本発明は、車両から送信される情報を取得する車両情報取得装置、車両からの情報を供給する車両情報供給装置、車両情報取得装置及び車両情報供給装置を備えた車両の情報通信システムに関する。
【背景技術】
【０００２】
従来から、例えば、下記特許文献１に示されているような電気自動車用電話制御システムは知られている。この従来の電気自動車用電話制御システムにおいては、運転者が携帯電話機からの音声又はトーン信号による暗号入力を行い、この暗号入力を自動車電話を構成する電話コントローラによって解読し、電話コントローラの制御の基に充電コントローラ及びエアコンコントローラが連携して電動エアコンを直ちに又は一定時間経過後等に動作を開始及び停止させるようになっている。又、充電コントローラ及びエアコンコントローラは充電状態及びエアコン状態を監視するため、電話コントローラから携帯電話機に自動ダイヤルして監視内容を運転者に音声又は表示により知らせるようにもなっている。【０００３】
又、従来から、例えば、下記特許文献２に示されているような車両遠隔操作システムも知られている。この従来の車両遠隔操作システムにおいては、携帯端末の操作者が正規ユーザであるか否かを認証する認証手段が設けられるようになっている。この認証手段は、遠隔操作対象車両外への所定の情報を出力し、この出力された所定の情報に対応した所定の操作が携帯端末に加えられることにより、この携帯端末の操作者を正規ユーザであると認証するようになっている。【０００４】
さらに、従来から、例えば、下記特許文献３に示されているような充電監視装置、電気自動車及びサーバも知られている。この従来の充電監視装置、電気自動車及びサーバにおいては、電気自動車側処理にて、ユーザによる指令に基づいて、取得した充電状態を外部のサーバに送信する際の通信条件を設定し、設定された通信条件になるとサーバに対して充電情報を送信する通信を行うようになっている。この場合、サーバにおいても、ユーザによる指令に基づいて、電気自動車から取得した充電情報をユーザに送信する際の通信条件を設定し、設定された通信条件になるとユーザに対して充電情報を送信する通信を行うことができるようにもなっている。なお、この場合、電気自動車はサーバに対して定期的に充電情報を送信するようになっている。
【先行技術文献】
【特許文献】
【０００５】
【特許文献１】特開平８−１４９６０８号公報
【特許文献２】特開２００８−０１５８３９号公報
【特許文献３】特開２０１０−２５２４４９号公報
【発明の概要】
【０００６】
ところで、上記特許文献１に示されたシステムでは、充電コントローラ及びエアコンコントローラが充電状態及びエアコン状態を監視し、この監視の内容を電話コントローラが携帯電話機に自動ダイヤルすることによって運転者に音声又は表示により知らせる。又、上記特許文献２に示されたシステムでは、所定の情報を出力しておき、この情報に応じた所定の操作がなされたときに操作者を正規ユーザとして認証する。又、上記特許文献３に示された装置では、電気自動車側からサーバに対して、ユーザによる指令に基づく通信条件により、又は、定期的に充電情報を送信する。
【０００７】
したがって、上記特許文献１及び特許文献２に示された従来のシステムにおいては、車両側と外部側との間で逐次通信により情報がやり取りされ、その結果、不必要な（無駄な）情報が通信される状況が生じ得る。又、上記特許文献３に示された装置においては、充電情報を取得する側であるサーバの状況を考慮せずに一方的に充電情報が送信されることにより、送信された充電情報が無駄となる状況が生じ得る。そして、このような不必要な（無駄な）情報の通信が生じることによって、通信頻度が増加して通信回線が占有される可能性がある。又、通信頻度の増加に伴って、通信回線に接続するための接続料金や通信に伴う通信料金の無用な上昇を招く恐れもある。
【０００８】
本発明は、上記課題を解決するためになされたものであり、その目的の一つは、車両からの必要な情報を必要なときに取得又は供給可能な車両情報取得装置、車両情報供給装置、車両情報取得装置及び車両情報供給装置を備えた車両の情報通信システムを提供することにある。
【０００９】
上記目的を達成するために、本発明の特徴は、車両と通信するための通信手段と、この通信手段を介して前記車両から供給される各種の情報を取得する情報取得手段とを備えた車両情報取得装置であって、前記車両に対して、前記各種の情報を供給するタイミングを指定するタイミング指定手段を備えたことにある。この場合、前記タイミング指定手段は、前記指定するタイミングにより供給すべき情報を指定するとよい。
【００１０】
そして、これらの場合、前記タイミング指定手段は、例えば、前記情報取得手段によって前記車両から供給された各種の情報を前記通信手段を介して取得したとき、次回、前記各種の情報を供給するタイミングを指定するとよい。
【００１１】
又、この場合、前記タイミング指定手段によって指令されたタイミングに従って前記車両から供給されて前記情報取得手段によって取得された前記各種の情報に基づいて、前記車両のユーザに前記車両の状態に関する通知を報知する報知手段を備えるとよい。
【００１２】
又、本発明の他の特徴は、車両における各種の情報を収集する情報収集手段と、外部と通信するための通信手段とを備えた車両情報供給装置であって、前記外部によって指定されて、前記情報収集手段が収集した前記各種の情報を供給するタイミングを取得するタイミング取得手段と、前記タイミング取得手段によって取得された前記タイミングに従って、前記情報収集手段が収集した前記各種の情報を前記通信手段を介して前記外部に供給する情報供給制御手段とを備えたことにもある。
【００１３】
この場合、前記タイミング取得手段は、前記外部により、前記指定されたタイミングで前記情報収集手段が収集すべき前記車両における情報を指定する収集指令情報を取得するとよい。
【００１４】
そして、これらの場合、前記タイミング取得手段は、例えば、前記情報供給制御手段が前記情報収集手段によって収集された前記各種の情報を前記通信手段を介して前記外部に供給したとき、次回、前記外部に前記収集された情報を供給するタイミングを取得するとよい。
【００１５】
又、本発明の他の特徴は、車両に搭載されてこの車両における各種の情報を収集して供給する車両情報供給装置と、この車両情報供給装置と所定の通信回線網を介して通信可能に接続されて前記車両情報供給装置から供給される前記車両における各種の情報を取得する車両情報取得装置とを備えた車両の情報通信システムにおいて、前記車両情報取得手段が、前記車両情報供給装置に対して、前記車両における各種の情報を、前記所定の通信回線網を介した送信により供給するタイミングを指定するタイミング指定手段を備えており、前記車両状況供給装置が、前記車両情報取得装置の前記タイミング指定手段によって指定された前記タイミングを取得するタイミング取得手段と、前記タイミング取得手段によって取得された前記タイミングに従って、前記車両における各種の情報を収集し前記所定の通信回線網を介して前記車両情報取得装置に供給する情報供給制御手段とを備えたことにもある。
【００１６】
これらによれば、情報を取得する側である車両情報取得装置が、情報を供給する側である車両（車両情報供給装置）に対して、情報を供給するタイミングを指定することができる。すなわち、情報を取得する側である車両情報取得装置は、例えば、通信状況や情報処理状況、あるいは、車両側（車両情報供給装置）が情報を収集する状況等を考慮して、情報を供給するタイミングを指定することができる。
【００１７】
したがって、車両情報取得装置は、必要なときに必要な情報を取得することができ、通信頻度を適切に低減することができて、通信回線を占有することを効果的に防止することができる。又、通信頻度を適切に低減することができるため、通信回線に接続するための接続料金や通信に伴う通信料金の無用な上昇を確実に防止することができる。又、車両情報取得装置（外部）に対して、指定したタイミングにより情報供給装置（車両側）から情報が送信されるため、ネットワーク構成上、安全性（セキュリティー性）を十分に確保することもできる。
【００１８】
又、本発明の他の特徴は、車両と通信するための通信手段と、この通信手段を介して前記車両から供給される各種の情報を取得する情報取得手段とを備えた車両情報取得装置であって、前記情報取得手段によって取得された前記各種の情報は、少なくとも、前記車両を遠隔操作により動作させるときの条件を決定する情報を含むものであり、前記条件を決定する情報を用いて前記車両を遠隔操作により動作させるか否かを判定する動作可否判定手段を備えたことにもある。
【００１９】
この場合、さらに、前記動作可否判定手段による前記車両を遠隔操作により動作させるとの判定に従い、前記車両を遠隔操作により動作させるための動作指令情報を前記通信手段を介して前記車両に供給する動作指令情報供給手段を備えており、前記情報取得手段は、前記動作指令情報供給手段によって供給された動作指令情報に従って前記車両が遠隔操作により動作したときに前記車両から供給される各種の情報を前記通信手段を介して取得するとよい。
【００２０】
そして、この場合、前記情報取得手段によって取得された前記車両が遠隔操作により動作したときに前記車両から供給される各種の情報に基づいて、前記車両のユーザに前記遠隔操作により動作した前記車両の状態に関する通知を報知する報知手段を備えるとよい。又、前記動作指令情報供給手段は、前記車両のユーザによって指示される前記車両の遠隔操作に応じて前記動作指令情報を前記通信手段を介して前記車両に供給するとよい。
【００２１】
又、本発明の他の特徴は、車両における各種の情報を収集する情報収集手段と、外部と通信するための通信手段とを備えた車両情報供給装置であって、前記情報収集手段は、前記車両の状態が予め設定された所定の状態にあるときに、収集した前記車両における各種の情報を前記通信手段を介して前記外部に供給することにもある。この場合、前記所定の状態は、少なくとも、前記車両が停車した状態であるとよい。
【００２２】
これらの場合、前記情報収集手段は、前記外部から供給されて前記車両を遠隔操作により動作させるための動作指令情報に従って前記車両が遠隔操作により動作したときの各種の情報を収集し、この収集した各種の情報を前記通信手段を介して前記外部に供給するとよい。
【００２３】
さらに、本発明の他の特徴は、車両に搭載されてこの車両における各種の情報を収集して供給する車両情報供給装置と、この車両情報供給装置と所定の通信回線網を介して通信可能に接続されて前記車両情報供給装置から供給される前記車両における各種の情報を取得する車両情報取得装置とを備えた車両の情報通信システムにおいて、前記車両情報供給装置から供給された前記各種の情報は、少なくとも、前記車両を遠隔操作により動作させるときの条件を決定する情報を含むものであり、前記車両情報取得手段が、前記条件を決定する情報を用いて前記車両を遠隔操作により動作させるか否かを判定する動作可否判定手段と、前記動作可否判定手段による前記車両を遠隔操作により動作させるとの判定に従い、前記車両を遠隔操作により動作させるための動作指令情報を前記所定の通信回線網を介して前記車両情報供給手段に供給する動作指令情報供給手段とを備え、前記車両情報供給手段が、前記車両情報取得装置から供給された前記動作指令情報に従って前記車両が遠隔操作により動作したときの各種の情報を収集し、この収集した各種の情報を前記所定の通信回線網を介して前記車両情報取得装置に供給する情報収集手段を備えたことにもある。
【００２４】
これらによれば、車両情報取得装置は、情報取得手段によって取得された車両を遠隔操作により動作させるときの条件を決定する情報を用いて車両を遠隔操作により動作させると判定した場合に限り、車両を遠隔操作により動作させるための動作指令情報を車両側（車両情報供給装置）に供給することができる。そして、動作指令情報に基づいて車両が遠隔操作により動作した場合に限り、車両情報供給装置は、車両情報取得装置に対して、遠隔操作により動作したときの各種の情報、すなわち、車両の遠隔操作の結果に関する情報を含む各種の情報を供給することができる。又、車両情報取得装置は、車両を遠隔操作により動作させるときに、ユーザに対して車両の状態に関する通知を報知することができる。言い換えれば、車両情報取得装置は、車両を遠隔操作により動作させないときには、車両の状態に関する通知を報知しない、あるいは、遠隔操作により動作させないことを報知することができる。
【００２５】
したがって、車両情報取得装置（外部）と車両情報供給装置（車両）との間の通信頻度を適切に低減することができて、通信回線を占有することを効果的に防止することができる。又、通信頻度を適切に低減することができるため、通信回線に接続するための接続料金や通信に伴う通信料金の無用な上昇を確実に防止することができる。又、ユーザは、車両情報取得装置からの報知により、車両が遠隔操作により動作しているか否か、言い換えれば、遠隔操作により動作させることができないことを容易に確認することができて便利である。
【図面の簡単な説明】
【００２６】
【図１】図１は、本発明の実施形態に係る車両情報取得装置及び車両情報供給装置を備えた車両の情報通信システムの概略図である。
【図２】図２は、本発明の第１実施形態に係り、図１における車両の情報転送ＥＣＵ、車両情報センタの車両情報管理サーバ、及び、情報端末の主制御部による情報の流れを説明するためのフローチャートである。
【図３】図３は、本発明の第２実施形態に係り、図１における車両の情報転送ＥＣＵ、車両情報センタの車両情報管理サーバ、及び、情報端末の主制御部による情報の流れを説明するためのフローチャートである。
【発明を実施するための形態】
【００２７】
ａ．第１実施形態
以下、本発明の実施形態に係る車両情報取得装置及び車両情報供給装置について図面を用いて説明する。図１は、第１実施形態に係る車両情報取得装置及び車両情報供給装置を有して、各実施形態に共通の車両の情報通信システムを概略的に示した概略ブロック図である。
【００２８】
まず、車両の情報通信システムについて説明する。車両の情報通信システムは、車両情報供給装置を有する車両１００と、車両情報センタ２００と、車両１００のユーザが所有する情報端末３００とを外部通信回線網４００（例えば、インターネット網や専用回線網等）を介して有機的に結び付けて、ユーザに対して各種のサービスや情報を提供できるようにしたものである。
【００２９】
車両１００には、車両の状態を制御する複数の電子制御装置１１０（以下、車両ＥＣＵ１１０と称呼する。）が設けられている。各車両ＥＣＵ１１０は、ＣＡＮ(Controller Area Network)通信システムのＣＡＮ通信ライン１２０に接続され、このＣＡＮ通信ライン１２０を経由して各種の信号を互いに入出力できるようになっている。そして、各車両ＥＣＵ１１０は、ＣＰＵ、ＲＯＭ、ＲＡＭ等からなるマイクロコンピュータを主要構成部品とするものであり、メモリ、入出力インターフェース及びセンサ信号を入力して各種のアクチュエータを駆動する駆動回路等を備えている。ここで、ＣＡＮ通信ライン１２０に接続される複数の車両ＥＣＵ１１０のうちの一つとして、他の車両ＥＣＵ１１０から出力された各種の情報（以下、車両情報とも称呼する。）を収集するとともに車両情報センタ２００への送信を制御する車両情報供給装置を構成する情報送受信ＥＣＵ１１０ａが設けられる。
【００３０】
又、ＣＡＮ通信ライン１２０には、外部通信回線網４００を介して車両情報センタ２００と通信するためのデータコミュニケーションモジュール１５０（以下、ＤＣＭ１５０と称呼する。）が接続されている。ＤＣＭ１５０は、車両情報供給装置を構成するものであり、外部通信回線網４００を介して車両情報センタ２００のサーバ２１０とデータ通信するための外部通信制御部１５１と、ＣＡＮ通信ライン１２０を介して情報送受信ＥＣＵ１１０ａを含む車両ＥＣＵ１１０とデータ通信して制御情報を取得したり車両ＥＣＵ１１０に指令を出力する主制御部１５２と、ＧＰＳ衛星からの電波に基づいて自車両の現在位置座標を検出するＧＰＳユニット１５３とを備えている。ＤＣＭ１５０は、マイクロコンピュータを主要構成部品とし、メモリ、通信回路、入出力インターフェース等を備えている。なお、本実施形態においては、情報送受信ＥＣＵ１１０ａとＤＣＭ１５０とを別体として（すなわち、それぞれを独立させて）車両１００に設けて実施するが、情報送受信ＥＣＵ１１０ａとＤＣＭ１５０とを一体化して（例えば、ＤＣＭ１５０の主制御部１５２が情報送受信ＥＣＵ１１０ａの機能を発揮するように）実施可能であることは言うまでもない。
【００３１】
ここで、情報通信システムに適用される車両１００は、バッテリの電力で走行用モータを駆動する電気自動車、あるいは、走行用モータと内燃機関とを備えバッテリを充電器により充電可能なプラグイン式ハイブリッド自動車が好ましい。しかし、走行用モータを備えずに内燃機関により走行する従来からの車両であってもよく、駆動形式を問うものではない。
【００３２】
車両情報センタ２００は、本第１実施形態における車両情報取得装置であり、車両１００から種々の車両情報を取得するとともに車両１００のユーザに対して種々のサービス情報を提供する施設である。車両情報センタ２００には、マイクロコンピュータを主要構成部品とするサーバ２１０が設けられる。サーバ２１０は、外部通信回線網４００と接続して通信を制御する通信制御部２１１と、車両情報を管理する車両情報管理サーバ２１２と、車両のユーザ情報を管理するユーザ情報管理サーバ２１３と、車両情報のデータベースを記憶する車両情報記憶部２１４と、ユーザ情報のデータベースを記憶するユーザ情報記憶部２１５とを備えている。サーバ２１０は、車両１００を特定するＩＤ情報（登録番号や車台番号に相当する情報、車両情報供給装置やＤＣＭ１５０を特定する一意の番号等）とユーザを特定するＩＤ情報（ユーザ名、情報端末３００の電話番号、メールアドレス等）とを関連させる関連情報を記憶しており、何れか一方のＩＤ情報を特定することで、他方のＩＤ情報で特定される情報を抽出することができるようになっている。
【００３３】
ユーザが所有する情報端末３００は、外部通信回線網４００に接続するための通信インターフェースである外部通信制御部３０１と、表示器と操作器とを兼用したタッチパネル式液晶ディスプレイ３０２と、マイクロコンピュータを主要構成部品として通信制御及び各種のアプリケーションを実行する主制御部３０３と、アプリケーションプログラム等の各種のデータを記憶する不揮発性メモリ３０４とを備えている。ここで、情報端末３００としては、例えば、ユーザが携帯することができるスマートフォン等の携帯電話や、タブレット端末、ノートパソコン、あるいは、自宅等に設置されたパソコン等を採用することができる。
【００３４】
次に、上記のように構成される車両の情報通信システムに適用される第１実施形態に係る車両情報取得装置及び車両情報取得装置の作動について、図２を用いて具体的に説明する。
【００３５】
例えば、車両１００が駐車された後、ユーザによって図示を省略するイグニッションスイッチの操作位置がアクセサリオフの操作位置に操作されると、情報送受信ＥＣＵ１１０ａは、他の車両ＥＣＵ１１０から出力されて収集した車両情報を、駐車時の車両状態を表す車両情報として、ＣＡＮ通信ライン１２０を介してＤＣＭ１５０の主制御部１５２に出力することができる。なお、このように、情報送受信ＥＣＵ１１０ａが収集した車両情報をＤＣＭ１５０に出力する場合、情報送受信ＥＣＵ１１０ａは収集した車両情報に車両１００を特定するＩＤ情報（以下、車両特定ＩＤ情報と称呼する。）を付して（関連付けて）出力する。そして、ＤＣＭ１５０の主制御部１５２は、出力された車両情報及び車両特定ＩＤ情報を、外部通信制御部１５１を利用して外部通信回線網４００に接続された車両情報センタ２００に送信することができる。
【００３６】
車両情報センタ２００においては、サーバ２１０を構成する車両情報管理サーバ２１２が、通信制御部２１１を介して車両１００から送信された車両情報及び車両特定ＩＤ情報を受信することができる。そして、車両情報管理サーバ２１２は、まず、受信した車両特定ＩＤ情報を用いて車両１００を特定するとともに車両特定ＩＤ情報に関連付けられた車両１００のユーザを特定するＩＤ情報（以下、ユーザ特定ＩＤ情報と称呼する。）を取得する。次に、車両情報管理サーバ２１２は、車両１００を特定した状態で、すなわち、車両特定ＩＤ情報と関連付けて受信した駐車時における車両情報を車両情報記憶部２１４の所定記憶位置に検索可能に記憶することができる。又、車両情報管理サーバ２１２は、取得したユーザ特定ＩＤ情報を用いてユーザ情報記憶部２１５を検索し、車両１００のユーザを特定することができる。
【００３７】
このような状態において、情報送受信ＥＣＵ１１０ａは、例えば、他の車両ＥＣＵ１１０から車両１００の状態に変化が生じたことを表す車両情報を取得すると、図２に示すフローチャートに従って、取得した車両情報及び車両特定ＩＤ情報を車両情報センタ２００に送信する。車両情報センタ２００においては、サーバ２１０（より具体的には、車両情報管理サーバ２１２）が、通信制御部２１１を介して車両１００から送信された車両情報及び車両特定ＩＤ情報を受信する。そして、サーバ２１０（より具体的には、車両情報管理サーバ２１２）は、車両１００の状態に変化が生じたことを表す車両情報を車両特定ＩＤ情報と関連付けて車両情報記憶部２１４に記憶するする。又、サーバ２１０（より具体的には、ユーザ情報管理サーバ２１３）は、車両特定ＩＤ情報を用いてユーザ特定ＩＤ情報を取得し、ユーザ特定ＩＤ情報を用いてユーザ情報記憶部２１５に記憶されているユーザを特定する。
【００３８】
続いて、車両情報センタ２００の車両情報管理サーバ２１２は、図２に示すように、ユーザ情報管理サーバ２１３によって特定されたユーザのメールアドレスを利用して、ユーザが所有する情報端末３００に車両１００の状態に変化が生じたことを、例えば、電子メールとして通知する。情報端末３００においては、主制御部３０３が、図２に示すように、外部通信回線網４００及び外部通信制御部３０１を介して、通知を受信する。これにより、車両１００のユーザは、自身が利用する情報端末３００に送信された電子メールによって駐車している車両１００の状態に変化が生じたことを把握することができる。なお、この場合、ユーザは、例えば、電子メールによる通知を取得した後、この電子メールに記載された特定のＷｅｂサイトにアクセスしたり特定のアプリケーションを起動したりして、駐車している車両１００の状態に変化が生じたことを詳細に把握することもできる。
【００３９】
一方で、車両情報管理サーバ２１２は、図２に示すように、例えば、車両情報記憶部２１４に記憶されている特定された車両１００の駐車時における車両情報を受信した後に応答する場合や、駐車時における車両情報と車両１００に変化が生じたことを表す車両情報とに基づいて生じた変化を監視するために継続してデータの取得が必要である場合には、車両１００に対してデータの取得を指示する。このとき、車両情報管理サーバ２１２は、必要なデータを取得するためのデータ取得コマンドを表す収集指令情報としての収集コマンド情報と、車両１００側にて次回データが取得されえるまでの待機させる時間（あるいは、指定時刻）すなわちタイミングを表す待機時間情報とを合わせて、車両情報センタ２００からの応答として車両１００に送信する。ここで、待機時間情報は、例えば、○分後や△時間後等のタイマ情報（カウントダウン情報）、あるいは、□時×分等の指定時刻情報を採用することができる。又、待機時間情報は、例えば、車両情報管理サーバ２１２における情報処理状況（負荷状況）や、外部通信回線網４００における通信状況（通信量）、あるいは、車両１００の情報送受信ＥＣＵ１１０ａによる他の車両ＥＣＵ１１０からの車両情報の収集処理状況（負荷状況）等を考慮して設定されるものである。
【００４０】
車両１００においては、情報送受信ＥＣＵ１１０ａが、外部通信回線網４００及びＤＣＭ１５０を介して、車両情報センタ２００からの応答としての収集コマンド情報及び待機時間情報を受信する。そして、情報送受信ＥＣＵ１１０ａは、受信した待機時間情報に基づき、車両情報センタ２００から指示された待機時間（あるいは、指定時刻）が経過するまで待機し、その後、収集コマンド情報によって表されるデータ取得コマンドに従ってデータを取得する車両ＥＣＵ１１０から対応する車両情報を取得する。このように、待機時間が経過した後に、言い換えれば、車両情報センタ２００のサーバ２１０によって指定されたタイミングにより必要な車両情報（以下、待機後車両情報と称呼する。）を取得すると、情報送受信ＥＣＵ１１０ａは、ＤＣＭ１５０及び外部通信回線網４００を介して、車両情報センタ２００に対して、取得した待機後車両情報及び車両特定ＩＤ情報を送信する。
【００４１】
車両情報センタ２００においては、車両情報管理サーバ２１２が、指定されたタイミングにより受信した待機後車両情報に基づいて車両１００の現在の状態を把握し、ユーザ情報管理サーバ２１３によって特定されたユーザのメールアドレスを利用して、ユーザが所有する情報端末３００に車両１００の現在の状態を電子メールにより通知する。これにより、車両１００のユーザは、例えば、電子メールによる通知により、あるいは、特定のＷｅｂサイトにアクセスしたり特定のアプリケーションを起動したりして、駐車している車両１００の現在の状態を詳細に把握することができる。
【００４２】
次に、上述した車両情報取得装置及び車両情報供給装置の作動をより具体的に例示して説明する。まず、車両１００が電気自動車やプラグイン式ハイブリッド自動車である場合において、バッテリに対する充電状態や充電できない状態であることをユーザに通知する状況を想定して説明する。
【００４３】
車両１００が電気自動車やプラグイン式ハイブリッド自動車である場合においては、ユーザが車両１００から降車するときに車両状態を表す車両情報を車両情報センタ２００に送信することが想定される。この場合、例えば、ユーザが車両１００から降車した後にすぐ充電プラグが車両１００の充電装置（ともに図示を省略）に挿入されていないと、車両１００への充電を制御する車両ＥＣＵ１１０が充電が開始されていないことを表す車両情報を情報送受信ＥＣＵ１１０ａに出力する。これにより、情報送受信ＥＣＵ１１０ａが出力された車両情報及び車両特定ＩＤ情報を、ＤＣＭ１５０及び外部通信回線網４００を介して、車両情報センタ２００に送信する。
【００４４】
車両情報センタ２００においては、車両情報管理サーバ２１２及びユーザ情報管理サーバ２１３が協働して、車両１００の情報送受信ＥＣＵ１１０ａによって送信された車両情報及び車両特定ＩＤ情報を受信し、車両特定ＩＤ情報を用いてユーザ特定ＩＤ情報を取得する。そして、車両情報管理サーバ２１２は、このユーザ特定ＩＤ情報によって特定される車両１００のユーザが利用する情報端末３００に対して、例えば、電子メールにより現在の車両１００の状態、すなわち、車両１００の充電が未だ開始されていないことを通知する。
【００４５】
一方で、車両情報管理サーバ２１２は、車両１００の情報送受信ＥＣＵ１１０ａに対する応答として、バッテリの充電量（ＳＯＣ）を表すデータを取得するための収集コマンド情報と待機時間情報とを車両１００の情報送受信ＥＣＵ１１０ａに対して送信する。これにより、情報送受信ＥＣＵ１１０ａは、外部通信回線網４００及びＤＣＭ１５０を介して、車両情報センタ２００からの応答としての収集コマンド情報及び待機時間情報を取得する。
【００４６】
このように、収集コマンド情報及び待機時間情報を取得すると、情報送受信ＥＣＵ１１０ａは、待機時間情報に基づき、車両情報センタ２００から指示された待機時間が経過するまであるいは指定時刻となるまで待機する。その後、情報送受信ＥＣＵ１１０ａは、収集コマンド情報によって表されるデータ取得コマンドに従い、車両１００への充電を制御する車両ＥＣＵ１１０からバッテリのＳＯＣを表すＳＯＣデータを待機後車両情報として取得する。このように、ＳＯＣデータを待機後車両情報として取得すると、情報送受信ＥＣＵ１１０ａは、ＤＣＭ１５０及び外部通信回線網４００を介して、車両情報センタ２００に待機後車両情報及び車両特定ＩＤ情報を送信する。
【００４７】
車両情報センタ２００においては、車両情報管理サーバ２１２が、待機後車両情報すなわちＳＯＣデータに基づいて車両１００のバッテリの充電状態を把握し、ユーザ情報管理サーバ２１３によって特定されたユーザのメールアドレスを利用してユーザが所有する情報端末３００に車両１００の充電状態を電子メールにより通知する。これにより、車両１００のユーザは、駐車している車両１００の現在の充電状態を詳細に把握することができる。
【００４８】
具体的に、例えば、ユーザが降車後に適切に充電プラグが車両１００の充電装置に挿入して充電が開始されていれば、すなわち、ＳＯＣデータによって表されるバッテリの充電量が増加していれば、車両情報管理サーバ２１２は、「充電中です。」や「充電が完了しました。」等のメッセージを通知する。一方、待機時間（あるいは、指定時刻）が経過した時点において未だユーザが充電プラグを車両１００の充電装置に挿入しておらず充電が開始されていない、すなわち、ＳＯＣデータによって表されるバッテリの充電量が変化していなければ、車両情報管理サーバ２１２は、「充電プラグが挿入されていないため、充電できていません。」等のメッセージを通知する。
【００４９】
次に、車両１００が電気自動車やプラグイン式ハイブリッド自動車、通常の車両である場合において、ユーザが情報端末３００を利用して車両１００の空調装置を遠隔操作（以下、遠隔空調操作と称呼する。）したことに伴う車両１００の状態をユーザに通知する状況を想定して説明する。
【００５０】
車両１００のユーザが遠隔空調操作によって、図示を省略する車両１００の空調装置を作動させる場合においては、空調装置の作動を制御する車両ＥＣＵ１１０が定期的に空調動作を確認し、空調に伴う風向きや車室内温度等を表す車両情報を車両情報センタ２００を介して情報端末３００に送信することが想定される。この場合、車両１００の情報送受信ＥＣＵ１１０ａは、例えば、車両１００が駐車されたときに、空調装置が停止していることを表す駐車時の車両状態を車両情報として車両情報センタ２００に送信している。その後、ユーザの遠隔空調操作によって空調装置が作動を開始すると、車両１００の状態に変化が生じたため、情報送受信ＥＣＵ１１０ａは、例えば、空調装置の作動を制御する車両ＥＣＵ１１０から空調装置の作動開始直後の空調に伴う風向きや車室内温度等を表す車両情報を取得し、この取得した車両情報と車両特定ＩＤ情報とをＤＣＭ１５０及び外部通信回線網４００を介して、車両情報センタ２００に送信する。
【００５１】
車両情報センタ２００ににおいては、及びユーザ情報管理サーバ２１３が協働して、車両１００の情報送受信ＥＣＵ１１０ａによって送信された車両情報及び車両特定ＩＤ情報を受信し、車両特定ＩＤ情報を用いてユーザ特定ＩＤ情報を取得する。そして、車両情報管理サーバ２１２は、このユーザ特定ＩＤ情報によって特定される車両１００にユーザが利用する情報端末３００に対して、例えば、電子メールによる現在の車両１００の状態、すなわち、車両１００の空調装置の作動が開始されたことを通知する。
【００５２】
一方で、車両情報管理サーバ２１２は、空調装置の作動に伴う変化（具体的には、車室内の温度変化等）を監視するために継続してデータの取得が必要であるため、車両１００の情報送受信ＥＣＵ１１０ａに対する応答として、空調に伴う風向きや車室内温度を表すデータを取得するための収集コマンド情報と待機時間情報とを車両１００の情報送受信ＥＣＵ１１０ａに対して送信する。これにより、情報送受信ＥＣＵ１１０ａは、外部通信回線網４００及びＤＣＭ１５０を介して、車両情報センタ２００からの応答としての収集コマンド情報及び待機時間情報を取得する。
【００５３】
このように、収集コマンド情報及び待機時間情報を取得すると、情報送受信ＥＣＵ１１０ａは、待機時間情報に基づき、車両情報センタ２００から指示された待機時間が経過するまであるいは指定時刻となるまで待機する。その後、情報送受信ＥＣＵ１００ａは、収集コマンド情報によって表されるデータ取得コマンドに従い、空調装置の作動を制御する車両ＥＣＵ１１０から空調に伴う風向きや車室内温度等を表すデータを待機後車両情報として取得する。このように、待機後車両情報を取得すると、情報送受信ＥＣＵ１１０ａは、ＤＣＭ１５０及び外部通信回線網４００を介して、車両情報センタ２００に待機後車両情報及び車両特定ＩＤ情報を送信する。
【００５４】
車両情報センタ２００においては、車両情報管理サーバ２１２が、待機後車両情報すなわち空調に伴う風向きや車室内温度等を表すデータに基づいて車両１００の空調装置の作動状態を把握し、ユーザ情報管理サーバ２１３によって特定されたユーザのメールアドレスを利用してユーザが所有する情報端末３００に車両１００の空調装置の作動状態、より具体的には、車室内の空調状態を電子メールにより通知する。これにより、車両１００のユーザは、遠隔空調操作した車両１００の現在の空調状態を詳細に把握することができる。
【００５５】
又、このような車両１００のユーザに対する通知においては、電子メールによる通知を取得したユーザが、この電子メールに記載された特定のＷｅｂサイトにアクセスしたり特定のアプリケーションを起動することによっても詳細な空調状態を把握することができる。具体的に、例えば、特定のＷｅｂサイトのアクセスしたり特定のアプリケーションを起動することによって車室内の温度及び温度変化を視覚的に表示することが可能となり、車両１００のユーザは、遠隔空調操作した車両１００の現在の空調状態を視覚的に把握することができる。
【００５６】
以上の説明からも理解できるように、この第１実施形態によれば、車両情報を取得（受信）する側である車両情報センタ２００のサーバ２１０（より詳しくは、車両情報管理サーバ２１２）が、車両情報を供給（送信）する側である車両１００の情報送受信ＥＣＵ１１０ａに対して待機時間情報を供給し、車両情報を供給するタイミングを指定することができる。すなわち、車両情報を取得（受信）する側である車両情報管理サーバ２１２は、例えば、車両情報管理サーバ２１２における情報処理状況（負荷状況）や、外部通信回線網４００における通信状況（通信量）、あるいは、車両１００の情報送受信ＥＣＵ１１０ａによる他の車両ＥＣＵ１１０からの車両情報の収集処理状況（負荷状況）等を考慮して、情報送受信ＥＣＵ１１０ａが車両情報を収集して供給（送信）するタイミングを指定することができる。
【００５７】
したがって、車両情報センタ２００のサーバ２１０（より詳しくは、車両情報管理サーバ２１２）は、待機時間情報とともに収集コマンド情報を応答として情報送受信ＥＣＵ１１０ａに供給（送信）することにより、必要なときに必要な車両情報を取得することができ、通信頻度を適切に低減することができて外部通信回線網４００を占有することを効果的に防止することができる。又、通信頻度を適切に低減することができるため、外部通信回線網４００に接続するための接続料金や通信に伴う通信料金の無用な上昇を確実に防止することができる。
【００５８】
又、車両情報センタ２００のサーバ２１０（より詳しくは、車両情報管理サーバ２１２）に対して、指定したタイミングにより車両１００の情報送受信ＥＣＵ１１０ａから車両情報が送信されるため、ネットワーク構成上、安全性（セキュリティー性）を十分に確保することもできる。又、一般に、車両１００の外部側からの通信においては、同時に接続できる通信接続数が限られており、通信料金も高額となるが、指定したタイミングにより車両１００の情報送受信ＥＣＵ１１０ａから車両情報管理サーバ２１２に対して車両情報が送信されるため、これらの問題を回避することができる。
【００５９】
さらに、車両情報センタ２００のサーバ２１０（より詳しくは、車両情報管理サーバ２１２）が車両１００の情報送受信ＥＣＵ１１０ａに対して待機時間情報及び収集コマンド情報を送信し、情報送受信ＥＣＵ１１０ａが指定された待機時間の経過後すなわち指定されたタイミングにより他の車両ＥＣＵ１１０から車両情報を取得して送信することができる。これにより、例えば、他の車両ＥＣＵ１１０が、定期的な車両情報の取得や車両情報の出力に対応していない場合や、特定処理を定期的に実行させる場合、一定時間後に制御を実行させる場合等において、予め車両ＥＣＵ１１０にプログラム等を組み込んでいなくても、車両情報管理サーバ２１２から収集コマンド情報を情報送受信ＥＣＵ１１０ａに送信（供給）することによって実現することができる。これにより、柔軟に機能を拡張して車両ＥＣＵ１１０を作動させて、定期的な車両情報の更新や遠隔操作等が可能となる。
【００６０】
ｂ．第２実施形態
上記第１実施形態においては、車両１００の状態を把握するために車両情報を取得する際、車両情報センタ２００の車両情報管理サーバ２１２（車両情報取得装置）が車両１００の情報送受信ＥＣＵ１１０ａ（車両情報供給装置）に対して待機時間情報を送信し、この待機時間情報に基づいて車両１００の情報送受信ＥＣＵ１１０ａから待機時間の経過後に待機後車両情報が送信されるように実施した。そして、このように、車両情報が車両１００の情報送受信ＥＣＵ１１０ａ（車両情報供給装置）から車両情報センタ２００の車両情報管理サーバ２１２（車両情報取得装置）に送信される送信タイミングを設定することにより、車両情報センタ２００の車両情報管理サーバ２１２が必要とするときに車両１００の情報送受信ＥＣＵ１１０ａが車両情報を送信することができるため、通信頻度を抑えて通信量及び通信費用を低減できるように実施した。
【００６１】
ところで、上記第１実施形態においては、車両１００のユーザが情報端末３００を利用して車両１００を遠隔操作する際には、車両１００の状態を監視するために、常に、収集コマンド情報及び待機時間情報が車両情報センタ２００から車両１００に送信される。しかし、車両１００の状態によっては、ユーザによる遠隔操作が実行できないあるいは実施すべきではない状況（以下、これらの状況を「不実施状況」と称呼する。）が生じ得る。この不実施状況においては、収集コマンド情報及び待機時間情報を送信すること自体が通信の無駄となる場合があり、適切にこのような不実施状況を判断することによって、通信頻度を抑えて通信量及び通信費用を低減することが可能となる。以下、この第２実施形態を詳細に説明するが、上記第１実施形態と同一部分に同一の符号を付し、その詳細な説明を省略する。
【００６２】
この第２実施形態においても、上記第１実施形態と同様に、車両情報供給装置を有する車両１００と、車両情報取得装置としての車両情報センタ２００と、車両１００のユーザが所有する情報端末３００とを外部通信回線網４００（例えば、インターネット網や専用回線網等）を介して有機的に結び付けて、ユーザに対して各種のサービスや情報を提供できる車両の情報通信システムを備えている。ただし、この第２実施形態においては、車両情報センタ２００のユーザ情報記憶部２１５に、ユーザが各種のサービスや情報の提供を受けるときの契約形態（例えば、遠隔操作が実行できるサービスの種類等を規定する契約形態）を表す契約形態情報を、ユーザごとに、すなわち、ユーザ特定するＩＤ情報に関連付けて検索可能に記憶している。
【００６３】
次に、この第２実施形態に係る車両情報取得装置及び車両情報供給装置の作動について、図３を用いて具体的に説明する。
【００６４】
この第２実施形態においては、車両１００の情報送受信ＥＣＵ１１０ａは、図３に示すように、他の車両ＥＣＵ１１０から予め規定された車両情報を取得し、他の車両ＥＣＵ１１０から取得した車両情報を車両情報センタ２００に送信するようになっている。ただし、この第２実施形態においては、情報送受信ＥＣＵ１１０ａは、予め設定されている送信条件が成立する所定の状態（少なくとも、車両１００が停止した状態）にあるときに、他の車両ＥＣＵ１１０から取得した車両情報をＤＣＭ１５０を介して車両情報センタ２００に送信する。
【００６５】
具体的に、今、情報送受信ＥＣＵ１１０ａが他の車両ＥＣＵ１１０から、走行距離を表す情報、バッテリのＳＯＣを表す情報、バッテリに対して充電器が接続されたか否かを表す情報、バッテリのタイマ予約が設定されたか否かを表す情報、車両１００が電気自動車等である場合の走行開始可能信号（所謂、Ｒｅａｄｙ信号）の状態を表す情報、ドアロックの作動状態を表す情報、パーキングブレーキの作動状態を表す情報、及び、車両１００の位置を表す情報等を車両情報として取得しているものとする。
【００６６】
この場合、情報送受信ＥＣＵ１１０ａは、走行距離を表す情報やバッテリのＳＯＣを表す情報、車両１００の位置を表す情報を、ユーザによってイグニッションスイッチの操作位置がアクセサリオフの操作位置に操作されたときに、ＤＣＭ１５０及び外部通信回線網４００を介して車両情報センタ２００に送信する。又、情報送受信ＥＣＵ１１０ａは、Ｒｅａｄｙ信号の状態を表す信号や車両１００の位置を表す情報を、Ｒｅａｄｙ信号がオフ状態からオン状態に変化したとき、ＤＣＭ１５０及び外部通信回線網４００を介して車両情報センタ２００に送信する。さらに、情報送受信ＥＣＵ１１０ａは、ドアロックの状態を表す情報や、バッテリに対して充電器が接続されたか否かを表す情報、バッテリのタイマ予約が設定されたか否かを表す情報、パーキングブレーキの作動状態を表す情報を、ユーザによってイグニッションスイッチの操作位置がアクセサリオフの操作位置に操作されていて状態が変化したときに、ＤＣＭ１５０及び外部通信回線網４００を介して車両情報センタ２００に送信する。なお、この第２実施形態においても、情報送受信ＥＣＵ１１０ａは、上述した各種の情報すなわち車両情報とともに車両特定ＩＤ情報を車両情報センタ２００に送信する。
【００６７】
車両情報センタ２００においては、図３に示すように、サーバ２１０を構成する車両情報管理サーバ２１２が、通信制御部２１１を介して車両１００から送信された車両情報及び車両特定ＩＤ情報を受信する。そして、車両情報管理サーバ２１２は、車両特定ＩＤ情報を用いて車両１００を特定し、車両特定ＩＤ情報と関連付けて受信した車両情報を車両情報記憶部２１４の所定記憶位置に検索可能に更新して記憶する。
【００６８】
このような状態において、車両１００のユーザは、図３に示すように、情報端末３００を利用して、契約形態に従った車両１００の動作を遠隔操作することができる。すなわち、車両１００のユーザは、情報端末３００のタッチパネル式液晶ディスプレイ３０２をタッチ操作して、例えば、車両１００を遠隔操作するための所定のアプリケーションを起動する。そして、この起動した所定のアプリケーションに従ってユーザ特定ＩＤ情報とともに車両１００を動作させるためのコマンドを表す動作指令情報としての動作コマンド情報を外部通信回線網４００を介して車両情報センタ２００に送信する。
【００６９】
車両情報センタ２００においては、管理サーバ２１０が、外部通信回線網４００及び通信制御部２１１を介して、動作コマンド情報及びユーザ特定ＩＤ情報を受信する。そして、車両情報センタ２００の車両情報管理サーバ２１２は、図３に示すように、車両１００から送信された動作コマンド情報に従って車両１００を動作させるか否かを判定する。具体的に、車両情報センタ２００においては、まず、管理サーバ２１０を構成するユーザ情報管理サーバ２１３が、送信されたユーザ特定ＩＤ情報を用いてユーザを認証するとともに、ユーザ情報記憶部２１５にユーザ特定ＩＤ情報に関連付けて記憶されている契約形態情報を取得する。そして、ユーザ情報管理サーバ２１３は、取得した契約形態情報を車両情報管理サーバ２１２に供給する。
【００７０】
車両情報管理サーバ２１２は、供給された契約形態情報に基づき、ユーザの契約したサービスに従って遠隔操作により、動作コマンド情報によって指示された車両１００の動作が可能であるか否かを判定する。なお、以下の説明においては、このユーザの契約形態すなわちサービス契約の有無を考慮した判定をユーザ状態判定と称呼する。そして、以下の説明においては、理解を容易とするために、ユーザが既にサービス契約している状況のみ（すなわち、ユーザ状態判定で「Ｙｅｓ」と判定される状況のみ）を例示して説明する。
【００７１】
又、車両情報管理サーバ２１２は、上述したように、車両１００から送信されて車両情報記憶部２１４に記憶されている車両情報に基づいて、現在の車両１００の状態で動作コマンド情報によって指示された車両１００の動作が可能であるか否かを判定する。なお、以下の説明においては、この車両情報に基づく車両状態を考慮した判定を車両状態判定と称呼する。さらに、車両情報管理サーバ２１２は、上述したように、車両１００から送信されて車両情報記憶部２１４に記憶されている車両情報のうちの車両１００の位置及び現在時刻に基づいて、現在の車両１００の位置及び時刻で動作コマンド情報によって指示された車両１００の動作が可能であるか否かを判定する。なお、以下の説明においては、この車両１００の位置と時刻を考慮した判定を一般判定と称呼する。
【００７２】
そして、車両情報管理サーバ２１２は、ユーザ状態判定、車両状態判定及び一般判定の組み合わせによってユーザによる遠隔操作に従って車両１００を動作させててもよいか否かを判定する。具体的に説明すると、例えば、ユーザが遠隔操作によって車両１００の空調装置を作動させるためのサービスを契約しており、このサービスに従って車両１００の空調装置を遠隔操作により、言い換えれば、動作コマンド情報を送信することにより動作させる状況を想定する。この場合、ユーザ状態判定によれば、車両情報管理サーバ２１２はユーザがサービスを契約していると判定する。しかし、例えば、車両状態判定により、車両１００のバッテリに外部電源が接続されておらず、かつ、バッテリのＳＯＣが５０％以下であれば、車両情報管理サーバ２１２は、ユーザの遠隔操作により空調装置を動作させるべきではないと判定する。
【００７３】
このように、ユーザ状態判定、車両状態判定及び一般判定を適宜組み合わせてユーザの遠隔操作により車両１００を動作させるべきではないと判定するときには、車両情報管理サーバ２１２は、ユーザ情報管理サーバ２１３がユーザ特定ＩＤ情報に基づき特定したユーザのメールアドレスを利用して、ユーザが所有する情報端末３００に車両１００を遠隔操作により動作させるべきではないことを、例えば、電子メールにより通知する。ただし、このような、車両１００を動作させるべきではないとする通知を送信した後に、再び、ユーザが同一の動作コマンド情報を送信してきた場合には、車両情報管理サーバ２１２は、上記判定に関わらず、後述するように、動作コマンド情報によって表される動作コマンドに従って車両１００を動作させる。
【００７４】
又、例えば、ユーザが遠隔操作によって車両１００の内燃機関（エンジン）を作動させるためのサービスを契約しており、このサービスに従って車両１００のエンジンを遠隔操作により作動させる状況を想定する。この場合、ユーザ状態判定によれば、車両情報管理サーバ２１２はユーザがサービスを契約していると判定する。又、車両状態判定により、例えば、車両１００のドアロックがロックされており、パーキングブレーキが作動状態にあれば、車両情報管理サーバ２１２はエンジンの作動が可能であると判定する。しかし、例えば、車両１００の駐車位置が自宅であるものの、その自宅が条例等によって無人状態でのエンジンの作動を禁止する特定区域内に存在する場合には、一般判定により、車両情報管理サーバ２１２はユーザによる遠隔操作によりエンジンを作動させてはならないと判定する。
【００７５】
なお、このように、ユーザ状態判定、車両状態判定及び一般判定を適宜組み合わせてユーザの遠隔操作により車両１００を動作させてはならないと判定するときにも、車両情報管理サーバ２１２は、ユーザ情報管理サーバ２１３がユーザ特定ＩＤ情報に基づき特定したユーザのメールアドレスを利用して、ユーザが所有する情報端末３００に車両１００を遠隔操作により動作させてはならないことを、例えば、電子メールにより通知する。ただし、この場合においては、再び、ユーザが同一の動作コマンド情報を送信してきた場合であっても、車両情報管理サーバ２１２は動作コマンド情報によって表される動作コマンドに従って車両１００を動作させない。
【００７６】
一方、ユーザが遠隔操作によって車両１００の空調装置を作動させるためのサービスを契約している場合、ユーザ状態判定によれば、車両情報管理サーバ２１２はユーザがサービスを契約していると判定する。そして、車両状態判定により、例えば、車両１００のバッテリに２００Ｖの外部電源が接続されており、バッテリのＳＯＣが４０％以上であり、バッテリのタイマ充電予約がなければ、車両情報管理サーバ２１２は、ユーザによる遠隔操作により、すなわち、ユーザが意図する動作コマンドに従って、空調装置を作動させるべきと判定する。そして、このように、送信された動作コマンド情報によって表される動作コマンドに従って車両１００を動作させる場合、車両情報管理サーバ２１２は車両１００に対して動作コマンド情報を送信する。
【００７７】
車両１００においては、図３に示すように、情報送受信ＥＣＵ１１０ａが、外部通信回線網４００及びＤＣＭ１５０を介して、車両情報センタ２００から送信された動作コマンド情報を受信する。そして、情報送受信ＥＣＵ１１０ａが取得した動作コマンド情報を対応する車両ＥＣＵ１００に供給することにより、車両ＥＣＵ１１０は動作コマンド情報によって表される動作コマンドに従って車両１００を動作させる。このように、車両ＥＣＵ１１０が動作コマンド情報によって表される動作コマンドに従って車両１００を動作させると、情報送受信ＥＣＵ１１０ａは、図３に示すように、ＤＣＭ１５０及び外部通信回線網４００を介して、車両情報センタ２００に対して、遠隔操作により動作を開始した車両１００の状態を表す動作後車両情報（すなわち、車両１００の遠隔操作の結果に関する情報を含む各種の情報）及び車両特定ＩＤ情報を送信する。
【００７８】
車両情報センタ２００においては、外部通信回線網４００及び通信制御部２１１を介して、動作後車両情報及び車両特定ＩＤ情報を受信する。そして、車両情報管理サーバ２１２が、動作後車両情報に基づいて車両１００の現在の状態を把握し、ユーザ情報管理サーバ２１３によって特定されたユーザのメールアドレスを利用して、ユーザが所有する情報端末３００に車両１００の現在の状態を電子メールにより通知する。これにより、車両１００のユーザは、例えば、電子メールによる通知により、あるいは、特定のＷｅｂサイトにアクセスしたり特定のアプリケーションを起動したりして、遠隔操作により動作している車両１００の現在の状態を詳細に把握することができる。
【００７９】
以上の説明からも理解できるように、この第２実施形態によれば、車両情報センタ２００のサーバ２１０（より詳しくは、車両情報管理サーバ２１２）は、車両１００を遠隔操作により動作させると判定した場合に限り、車両１００を遠隔操作により動作させるための動作指令情報である動作コマンド情報を車両１００の情報送受信ＥＣＵ１１０ａに供給することができる。そして、動作コマンド情報に従って車両１００が遠隔操作により動作した場合に限り、情報送受信ＥＣＵ１１０ａは、車両情報管理サーバ２１２に対して、遠隔操作により動作したときの車両情報を供給（送信）することができる。又、車両情報管理サーバ２１２は、車両を遠隔操作により動作させたときはユーザに対して車両１００の状態に関する通知を報知し、車両１００を遠隔操作により動作させないときには、遠隔操作により車両１００を動作させないことを報知することができる。
【００８０】
したがって、車両情報センタ２００のサーバ２１０（より詳しくは、車両情報管理サーバ２１２）と車両１００の情報送受信ＥＣＵ１１０ａとの間の通信頻度を適切に低減することができて、外部通信回線網４００を占有することを効果的に防止することができる。又、通信頻度を適切に低減することができるため、外部通信回線網４００に接続するための接続料金や通信に伴う通信料金の無用な上昇を確実に防止することができる。又、ユーザは、車両情報センタ２００のサーバ２１０（より詳しくは、車両情報管理サーバ２１２）からの報知により、情報端末３００を介して、車両１００が遠隔操作により動作しているか、あるいは、遠隔操作により車両１００を動作させることができないかを容易に確認することができ、便利である。
【００８１】
本発明の実施にあたっては、上記各実施形態に限定されるものではなく、本発明の目的を逸脱しない限りにおいて、種々の変更が可能である。
【００８２】
例えば、上記各実施形態においては、車両情報センタ２００（より具体的には、管理サーバ２１０を構成する車両情報管理サーバ２１２）が、車両１００の情報送受信ＥＣＵ１１０ａに対してコマンド情報及び待機時間情報を送信したり、車両情報に基づいてユーザからの遠隔操作に従って車両１００を動作させるか否かを判定したりするように実施した。すなわち、上記各実施形態においては、車両情報センタ２００が本発明の車両情報取得装置であるとして実施した。
【００８３】
この場合、車両情報センタ２００に代えて、外部通信回線網４００を介して、車両１００の情報送受信ＥＣＵ１１０ａと通信可能である情報端末３００を車両情報取得装置として実施することも可能である。このように、情報端末３００を車両所法取得装置として実施する場合であっても、上記各実施形態における車両情報センタ２００と同様に、情報端末３００を機能させることが可能である。これにより、情報端末３００の主制御部３０３が、外部通信制御部３０１及び外部通信回線網４００及びを介して、車両１００の情報送受信ＥＣＵ１１０ａにコマンド情報及び待機時間情報を送信したり、車両情報に基づいてユーザが意図する遠隔操作に従って車両１００を動作させるか否かを判定したりすることができる。したがって、この場合においても、上記各実施形態と同様の効果が期待できる。
【００８４】
さらに、上記第２実施形態においては、車両情報センタ２００（より具体的には、管理サーバ２１０を構成する車両情報管理サーバ２１２）が、車両１００を遠隔操作により動作させるか否かを判定するように実施した。この場合、このような判定処理を情報端末３００が車両情報管理サーバ２１２と同様に実行するように実施可能であることは言うまでもなく、例えば、車両１００の情報送受信ＥＣＵ１１０ａが上記判定処理を車両情報管理サーバ２１２と同様に実行して実施可能である。この場合、ユーザは情報端末３００を利用して車両１００の情報送受信ＥＣＵ１１０ａに動作コマンド情報を送信することにより、情報送受信ＥＣＵ１１０ａは、自身が収集した車両情報を用いて、上述した第２実施形態と同様に、車両１００を遠隔操作により動作させるか否かを判定することができる。したがって、この場合であっても、上記第２実施形態と同様の効果が期待できる。
【図１】
2012160667.tif 000003
【図２】
2012160667.tif 000004
【図３】
2012160667.tif 000005
【手続補正書】
【提出日】平成25年5月24日(2013.5.24)
【手続補正１】
【補正対象書類名】特許請求の範囲
【補正対象項目名】全文
【補正方法】変更
【補正の内容】
【特許請求の範囲】
【請求項１】
車両と通信するための通信手段と、この通信手段を介して前記車両から供給される各種の情報を取得する情報取得手段とを備えた車両情報取得装置であって、
前記車両に対して、前記各種の情報を供給するタイミングを指定するタイミング指定手段を備え、
前記タイミング指定手段は、
前記情報取得手段によって前記車両から供給された各種の情報を前記通信手段を介して取得し、同取得した各種の情報に基づいて車両の状態が変化したとき、次回、前記各種の情報を供給するタイミングを指定することを特徴とする車両情報取得装置。
【請求項２】
請求項１に記載した車両情報取得装置において、
前記タイミング指定手段は、
前記指定するタイミングにより供給すべき情報を指定することを特徴とする車両情報取得装置。
【請求項３】
請求項１に記載した車両情報取得装置において、
前記タイミング指定手段によって指令されたタイミングに従って前記車両から供給されて前記情報取得手段によって取得された前記各種の情報に基づいて、前記車両のユーザに前記車両の状態に関する通知を報知する報知手段を備えたことを特徴とする車両情報取得装置。
【請求項４】
車両における各種の情報を収集する情報収集手段と、外部と通信するための通信手段とを備えた車両情報供給装置であって、
前記外部によって指定されて、前記情報収集手段が収集した前記各種の情報を供給するタイミングを取得するタイミング取得手段と、
前記タイミング取得手段によって取得された前記タイミングに従って、前記情報収集手段が収集した前記各種の情報を前記通信手段を介して前記外部に供給する情報供給制御手段とを備え、
前記タイミング取得手段は、
前記情報供給制御手段が前記情報収集手段によって収集された前記各種の情報を前記通信手段を介して前記外部に供給した後に車両の状態が変化したとき、次回、前記外部に前記収集された情報を供給するタイミングを取得することを特徴とする車両情報供給装置。
【請求項５】
請求項４に記載した車両情報供給装置において、
前記タイミング取得手段は、
前記外部により、前記指定されたタイミングで前記情報収集手段が収集すべき前記車両における情報を指定する収集指令情報を取得することを特徴とする車両情報取得装置。
【請求項６】
車両に搭載されてこの車両における各種の情報を収集して供給する車両情報供給装置と、この車両情報供給装置と所定の通信回線網を介して通信可能に接続されて前記車両情報供給装置から供給される前記車両における各種の情報を取得する車両情報取得装置とを備えた車両の情報通信システムにおいて、
前記車両情報取得手段が、
前記車両情報供給装置に対して、前記車両における各種の情報を、前記所定の通信回線網を介した送信により供給するタイミングを指定するタイミング指定手段を備えており、
前記車両状況供給装置が、
前記車両情報取得装置の前記タイミング指定手段によって指定された前記タイミングを取得するタイミング取得手段と、
前記タイミング取得手段によって取得された前記タイミングに従って、前記車両における各種の情報を収集し前記所定の通信回線網を介して前記車両情報取得装置に供給する情報供給制御手段とを備えたことを特徴とする車両の情報通信システム。
【請求項７】
車両と通信するための通信手段と、この通信手段を介して前記車両から供給される各種の情報を取得する情報取得手段とを備えた車両情報取得装置であって、
前記情報取得手段によって取得された前記各種の情報は、少なくとも、前記車両を遠隔操作により動作させるときの条件を決定する情報を含むものであり、前記条件を決定する情報を用いて前記車両を遠隔操作により動作させるか否かを判定する動作可否判定手段と、
前記動作可否判定手段による前記車両を遠隔操作により動作させるとの判定に従い、前記車両を遠隔操作により動作させるための動作指令情報を前記通信手段を介して前記車両に供給する動作指令情報供給手段とを備え、
前記情報取得手段は、
前記動作指令情報供給手段によって供給された動作指令情報に従って前記車両が遠隔操作により動作して車両の状態が変化したときに、前記車両から供給される各種の情報を前記通信手段を介して取得することを特徴とする車両情報取得装置。
【請求項８】
請求項７に記載した車両情報取得装置において、
前記情報取得手段によって取得された前記車両が遠隔操作により動作したときに前記車両から供給される各種の情報に基づいて、前記車両のユーザに前記遠隔操作により動作した前記車両の状態に関する通知を報知する報知手段を備えたことを特徴とする車両情報取得装置。
【請求項９】
請求項７に記載した車両情報取得装置において、
前記動作指令情報供給手段は、
前記車両のユーザによって指示される前記車両の遠隔操作に応じて前記動作指令情報を前記通信手段を介して前記車両に供給することを特徴とする車両情報取得装置。
【請求項１０】
車両における各種の情報を収集する情報収集手段と、外部と通信するための通信手段とを備えた車両情報供給装置であって、
前記情報収集手段は、
前記車両の状態が予め設定された所定の状態にあるときに、前記外部から供給されて前記車両を遠隔操作により動作させるための動作指令情報に従って前記車両が遠隔操作により動作したときの各種の情報を収集し、収集した前記車両における各種の情報を前記通信手段を介して前記外部に供給することを特徴とする車両情報供給装置。
【請求項１１】
前記所定の状態は、少なくとも、前記車両が停車した状態である請求項１０に記載した車両情報供給装置。
【請求項１２】
車両に搭載されてこの車両における各種の情報を収集して供給する車両情報供給装置と、この車両情報供給装置と所定の通信回線網を介して通信可能に接続されて前記車両情報供給装置から供給される前記車両における各種の情報を取得する車両情報取得装置とを備えた車両の情報通信システムにおいて、
前記車両情報供給装置から供給された前記各種の情報は、少なくとも、前記車両を遠隔操作により動作させるときの条件を決定する情報を含むものであり、
前記車両情報取得手段が、
前記条件を決定する情報を用いて前記車両を遠隔操作により動作させるか否かを判定する動作可否判定手段と、
前記動作可否判定手段による前記車両を遠隔操作により動作させるとの判定に従い、前記車両を遠隔操作により動作させるための動作指令情報を前記所定の通信回線網を介して前記車両情報供給手段に供給する動作指令情報供給手段とを備え、
前記車両情報供給手段が、
前記車両情報取得装置から供給された前記動作指令情報に従って前記車両が遠隔操作により動作したときの各種の情報を収集し、この収集した各種の情報を前記所定の通信回線網を介して前記車両情報取得装置に供給する情報収集手段を備えたことを特徴とする車両の情報通信システム。
【手続補正書】
【提出日】平成26年4月23日(2014.4.23)
【手続補正１】
【補正対象書類名】特許請求の範囲
【補正対象項目名】全文
【補正方法】変更
【補正の内容】
【特許請求の範囲】
【請求項１】
車両と通信するための通信手段と、この通信手段を介して前記車両から供給される各種の情報を取得する情報取得手段とを備えた車両情報取得装置であって、
前記車両に対して、前記各種の情報を供給するタイミングを指定するタイミング指定手段を備え、
前記タイミング指定手段は、
前記情報取得手段によって前記車両から供給された各種の情報を前記通信手段を介して取得し、同取得した各種の情報に基づいて車両の状態が変化したとき、次回、前記各種の情報を供給するタイミングを指定するとともに、前記指定するタイミングにより供給すべき情報であって前記車両の状態の変化を監視するために継続して取得する必要のある情報を指定することを特徴とする車両情報取得装置。
【請求項２】
請求項１に記載した車両情報取得装置において、
前記タイミング指定手段によって指定されたタイミングに従って前記車両から供給されて前記情報取得手段によって取得された前記各種の情報に基づいて、前記車両のユーザに前記車両の状態に関する通知を報知する報知手段を備えたことを特徴とする車両情報取得装置。
【請求項３】
車両における各種の情報を収集する情報収集手段と、外部と通信するための通信手段とを備えた車両情報供給装置であって、
前記外部によって指定されて、前記情報収集手段が収集した前記各種の情報を供給するタイミングを取得するタイミング取得手段と、
前記タイミング取得手段によって取得された前記タイミングに従って、前記情報収集手段が収集した前記各種の情報を前記通信手段を介して前記外部に供給する情報供給制御手段とを備え、
前記タイミング取得手段は、
前記情報供給制御手段が前記情報収集手段によって収集された前記各種の情報を前記通信手段を介して前記外部に供給した後に車両の状態が変化したとき、次回、前記外部に前記情報収集手段によって収集された情報を供給するタイミングを取得するとともに、前記外部により指定されたタイミングで前記情報収集手段が収集すべき前記車両における情報であって前記車両の状態の変化を監視するために継続して取得する必要のある情報を指定する収集指令情報を取得することを特徴とする車両情報供給装置。
【請求項４】
車両に搭載されてこの車両における各種の情報を収集して供給する車両情報供給装置と、この車両情報供給装置と所定の通信回線網を介して通信可能に接続されて前記車両情報供給装置から供給される前記車両における各種の情報を取得する車両情報取得装置とを備えた車両の情報通信システムにおいて、
前記車両情報取得装置が、
前記車両情報供給装置に対して、前記車両における各種の情報を、前記所定の通信回線網を介して通信により供給するタイミングを指定するタイミング指定手段を備えており、
前記車両情報供給装置が、
前記車両情報取得装置の前記タイミング指定手段によって指定された前記タイミングを取得するタイミング取得手段と、
前記タイミング取得手段によって取得された前記タイミングに従って、前記車両における各種の情報を収集し前記所定の通信回線網を介して前記車両情報取得装置に供給する情報供給制御手段とを備えており、
前記タイミング指定手段は、
前記車両情報供給装置から供給された前記車両における各種の情報を前記所定の通信回線網を介して取得し、同取得した各種の情報に基づいて車両の状態が変化したとき、次回、前記車両情報供給装置が前記各種の情報を供給するタイミングを指定するとともに、前記指定するタイミングにより前記車両情報供給装置が供給すべき情報であって前記車両の状態の変化を監視するために継続して取得する必要のある情報を指定し、
前記タイミング取得手段は、
前記情報供給制御手段が収集した前記各種の情報を前記所定の通信回線網を介して前記車両情報取得装置に供給した後に前記車両の状態が変化したとき、次回、前記車両情報取得装置に前記情報供給制御手段が収集した情報を供給するタイミングを前記車両情報取得装置から取得するとともに、前記車両情報取得装置により指定されたタイミングで前記情報供給制御手段が収集すべき前記車両における情報であって前記車両の状態の変化を監視するために継続して取得する必要のある情報を指定する収集指令情報を前記車両情報取得装置から取得することを特徴とする車両の情報通信システム。
【国際調査報告】
2012160667.tif 000006
2012160667.tif 000007
2012160667.tif 000008
2012160667.tif 000009
2012160667.tif 000010
2012160667.tif 000011
2012160667.tif 000012
2012160667.tif 000013